(57)【要約】【課題】携帯端末を携帯するユーザのプライバシーを適切に確保する。【解決手段】集配担当者が携帯する携帯端末６は、ビジネスモードで動作しているときに、一般端末５から測位要求が受信されると、測位を拒否するので、一般ユーザに対して、集配担当者の位置が知られることがなくなり、集配担当者のプライバシーを適切に確保できる。その一方で、携帯端末６は、ビジネスモードで動作しているときに、集配業務管理端末２から測位要求が受信されると、測位を行って携帯端末６の位置を表す位置情報を取得して集配業務管理端末２に送信するので、集配担当者の位置を適切に知らせることができる。【選択図】　図１
2004012284.tif 000002
【特許請求の範囲】
【請求項１】
測位要求をネットワークに送信することによりネットワークから移動通信端末の位置を表す位置情報を受信可能な測位要求端末を備えてなる測位システムであって、
移動通信端末が第１の動作モードで動作しているときに、測位要求端末がネットワークからの位置情報の受信が可能になり、移動通信端末が第２の動作モードで動作しているときに、測位要求端末がネットワークからの位置情報の受信が不可能になるかまたはネットワークからの誤差が含まれた位置情報の受信が可能になるように構成されていることを特徴とする測位システム。
【請求項２】
請求項１に記載した測位システムにおいて、
移動通信端末が第２の動作モードで動作しているときに、非常用の所定条件が成立したことを条件として、測位要求端末がネットワークからの位置情報の受信が可能になるように構成されていることを特徴とする測位システム。
【請求項３】
それぞれ測位要求をネットワークに送信することによりネットワークから移動通信端末の位置を表す位置情報を受信可能な第１の測位要求端末および第２の測位要求端末を備えてなる測位システムであって、
移動通信端末が第１の動作モードで動作しているときに、第１の測位要求端末がネットワークからの位置情報の受信が可能になると共に、第２の測位要求端末がネットワークからの位置情報の受信が不可能になるかまたはネットワークからの誤差が含まれた位置情報の受信が可能になり、移動通信端末が第２の動作モードで動作しているときに、第２の測位要求端末がネットワークからの位置情報の受信が可能になると共に、第１の測位要求端末がネットワークからの位置情報の受信が不可能になるかまたはネットワークからの誤差が含まれた位置情報の受信が可能になるように構成されていることを特徴とする測位システム。
【請求項４】
請求項３に記載した測位システムにおいて、
移動通信端末が第１の動作モードで動作しているときに、非常用の所定条件が成立したことを条件として、第２の測位要求端末がネットワークからの位置情報の受信が可能になり、移動通信端末が第２の動作モードで動作しているときに、非常用の所定条件が成立したことを条件として、第１の測位要求端末がネットワークからの位置情報の受信が可能になるように構成されていることを特徴とする測位システム。
【請求項５】
請求項１ないし４のいずれかに記載した測位システムにおいて、
移動通信端末にてトリガが発生したことに基づいて当該移動通信端末が第１の動作モードと第２の動作モードとを切替えて動作するように構成されていることを特徴とする測位システム。
【請求項６】
請求項１または２に記載した測位システムにおいて、
測位要求端末にてトリガが発生したことに基づいて移動通信端末が第１の動作モードと第２の動作モードとを切替えて動作するように構成されていることを特徴とする測位システム。
【請求項７】
請求項３または４に記載した測位システムにおいて、
第１の測位要求端末や第２の測位要求端末にてトリガが発生したことに基づいて移動通信端末が第１の動作モードと第２の動作モードとを切替えて動作するように構成されていることを特徴とする測位システム。
【請求項８】
請求項１、２、５または６のいずれかに記載した測位システムにおいて、
荷物を集配する集配業務に用いられ、
移動通信端末は、荷物を集配する集配担当者が携帯するものであり、
測位要求端末は、集配業務を管理する管理担当者が操作するものであることを特徴とする測位システム。
【請求項９】
請求項３、４、５または７のいずれかに記載した測位システムにおいて、
荷物を集配する集配業務に用いられ、
移動通信端末は、荷物を集配する集配担当者が携帯するものであり、
第１の測位要求端末は、集配業務を管理する管理担当者が操作するものであり、
第２の測位要求端末は、一般ユーザが操作するものであることを特徴とする測位システム。
【請求項１０】
請求項８または９に記載した測位システムにおいて、
移動通信端末は、集配担当者により集配されるべき荷物に添付または印刷されている情報コードを読取る機能を有し、情報コードを読取ることに基づいて第１の動作モードと第２の動作モードとを切替えて動作するように構成されていることを特徴とする測位システム。
【請求項１１】
請求項８または９に記載した測位システムにおいて、
移動通信端末は、集配担当者に所持されている記録媒体に記録されている個人識別情報を読取る機能を有し、個人識別情報を読取ることに基づいて第１の動作モードと第２の動作モードとを切替えて動作するように構成されていることを特徴とする測位システム。
【請求項１２】
測位要求端末から測位要求が受信されたときに、移動通信端末の位置を表す位置情報を測位要求端末に送信可能に構成されてなる移動通信端末であって、
第１の動作モードで動作しているときに、測位要求端末への位置情報の送信が可能になり、第２の動作モードで動作しているときに、測位要求端末への位置情報の送信が不可能になるかまたは測位要求端末への誤差が含まれた位置情報の送信が可能になるように構成されていることを特徴とする移動通信端末。
【請求項１３】
第１の測位要求端末または第２の測位要求端末から測位要求が受信されたときに、移動通信端末の位置を表す位置情報を第１の測位要求端末または第２の測位要求端末に送信可能に構成されてなる移動通信端末であって、
第１の動作モードで動作しているときに、第１の測位要求端末への位置情報の送信が可能になると共に、第２の測位要求端末への位置情報の送信が不可能になるかまたは第２の測位要求端末への誤差が含まれた位置情報の送信が可能になり、第２の動作モードで動作しているときに、第２の測位要求端末への位置情報の送信が可能になると共に、第１の測位要求端末への位置情報の送信が不可能になるかまたは第１の測位要求端末への誤差が含まれた位置情報の送信が可能になるように構成されていることを特徴とする移動通信端末。
【請求項１４】
移動通信端末に、
第１の動作モードで動作しているときに、測位要求端末から測位要求が受信されると、測位要求端末への当該移動通信端末の位置を表す位置情報の送信を可能にさせる手順と、
第２の動作モードで動作しているときに、測位要求端末から測位要求が受信されると、測位要求端末への位置情報の送信を不可能にさせるかまたは測位要求端末への誤差が含まれた位置情報の送信を可能にさせる手順とを行わせるためのコンピュータプログラム。
【請求項１５】
移動通信端末に、
第１の動作モードで動作しているときに、第１の測位要求端末から測位要求が受信されると、第１の測位要求端末への当該移動通信端末の位置を表す位置情報の送信を可能にさせる手順と、
第１の動作モードで動作しているときに、第２の測位要求端末から測位要求が受信されると、第２の測位要求端末への位置情報の送信を不可能にさせるかまたは第２の測位要求端末への誤差が含まれた位置情報の送信を可能にさせる手順と、
第２の動作モードで動作しているときに、第２の測位要求端末から測位要求が受信されると、第２の測位要求端末への当該移動通信端末の位置を表す位置情報の送信を可能にさせる手順と、
第２の動作モードで動作しているときに、第１の測位要求端末から測位要求が受信されると、第１の測位要求端末への位置情報の送信を不可能にさせるかまたは第１の測位要求端末への誤差が含まれた位置情報の送信を可能にさせる手順とを行わせるためのコンピュータプログラム。
【発明の詳細な説明】
【０００１】
【発明の属する技術分野】
本発明は、測位要求端末が測位要求をネットワークに送信することにより、測位要求端末がネットワークから移動通信端末の位置を表す位置情報を受信することが可能に構成されてなる測位システム、前記測位システムで用いられる移動通信端末および前記移動通信端末にて実行されるコンピュータプログラムに関する。
【０００２】
【発明が解決しようとする課題】
近年、例えばＧＰＳ（Ｇｌｏｂａｌ　Ｐｏｓｉｔｉｏｎｉｎｇ　Ｓｙｓｔｅｍ）衛星からのＧＰＳ衛星信号を測定することにより、自身の位置（現在位置）を表す位置情報を取得可能に構成されてなる携帯電話機が広く普及している。この種の携帯電話機を用いた測位システムの一例として、測位要求端末が測位要求を携帯電話機に送信すると、携帯電話機が位置情報を取得して測位要求端末に送信し、測位要求端末が携帯電話機から受信された位置情報を出力するものがある。
【０００３】
このものによれば、携帯電話機を携帯しているユーザの位置を知りたいユーザは、測位要求端末を操作し、測位要求端末から測位要求を送信させることにより、携帯電話機の位置を表す位置情報を出力させることができ、携帯電話機を携帯しているユーザの位置を知ることができる。
【０００４】
ところで、測位要求端末が測位要求を携帯電話機に送信したときに、携帯電話機が常に位置情報を測位要求端末に送信し、測位要求端末が常に携帯電話機から受信された位置情報を出力する構成では、携帯電話機を携帯しているユーザの位置が常に知られてしまうことになり、その結果として、携帯電話機を携帯しているユーザのプライバシーを適切に確保することができないという問題がある。
【０００５】
本発明は、上記した事情に鑑みてなされたものであり、その目的は、移動通信端末と共に移動するユーザのプライバシーを適切に確保することができる測位システム、移動通信端末およびコンピュータプログラムを提供することにある。
【０００６】
【課題を解決するための手段】
請求項１に記載した測位システムによれば、移動通信端末が第１の動作モードで動作しているときに、測位要求端末が測位要求をネットワークに送信すると、測位要求端末がネットワークからの位置情報の受信が可能になり、また、移動通信端末が第２の動作モードで動作しているときに、測位要求端末が測位要求をネットワークに送信すると、測位要求端末がネットワークからの位置情報の受信が不可能になるかまたはネットワークからの誤差が含まれた位置情報の受信が可能になるように構成した。
【０００７】
したがって、移動通信端末が第２の動作モードで動作していると、移動通信端末の位置が測位要求端末に受信されることがないので、移動通信端末と共に移動するユーザの位置が知られることがなく、これにより、移動通信端末と共に移動するユーザのプライバシーを適切に確保することができる。
【０００８】
請求項２に記載した測位システムによれば、移動通信端末が第２の動作モードで動作しているときに、測位要求端末が測位要求をネットワークに送信すると、非常用の所定条件が成立したことを条件として、測位要求端末がネットワークからの位置情報の受信が可能になるように構成した。
【０００９】
したがって、移動通信端末が第２の動作モードで動作しているときであっても、非常事態が発生したときには、非常用の所定条件が成立することにより、移動通信端末の位置が測位要求端末に受信されることになり、これにより、移動通信端末と共に移動するユーザの位置を適切に知らせることができる。
【００１０】
請求項３に記載した測位システムによれば、移動通信端末が第１の動作モードで動作しているときに、第１の測位要求端末が測位要求をネットワークに送信すると、第１の測位要求端末がネットワークからの位置情報の受信が可能になると共に、第２の測位要求端末が測位要求をネットワークに送信すると、第２の測位要求端末がネットワークからの位置情報の受信が不可能になるかまたはネットワークからの誤差が含まれた位置情報の受信が可能になるように構成した。
【００１１】
また、移動通信端末が第２の動作モードで動作しているときに、第２の測位要求端末が測位要求をネットワークに送信すると、第２の測位要求端末がネットワークからの位置情報の受信が可能になると共に、第１の測位要求端末が測位要求をネットワークに送信すると、第１の測位要求端末がネットワークからの位置情報の受信が不可能になるかまたはネットワークからの誤差が含まれた位置情報の受信が可能になるように構成した。
【００１２】
したがって、移動通信端末が第１の動作モードで動作していると、移動通信端末の位置が第２の測位要求端末に受信されることがないので、移動通信端末と共に移動するユーザの位置が第２の測位要求端末を操作するユーザに知られることがなく、これにより、第２の測位要求端末を操作するユーザに対して、移動通信端末と共に移動するユーザのプライバシーを適切に確保することができる。その一方で、移動通信端末の位置が第１の測位要求端末に受信されることになり、これにより、第１の測位要求端末を操作するユーザに対して、移動通信端末と共に移動するユーザの位置を適切に知らせることができる。
【００１３】
また、移動通信端末が第２の動作モードで動作していると、移動通信端末の位置が第１の測位要求端末に受信されることがないので、移動通信端末と共に移動するユーザの位置が第１の測位要求端末を操作するユーザに知られることがなく、これにより、第１の測位要求端末を操作するユーザに対して、移動通信端末と共に移動するユーザのプライバシーを適切に確保することができる。その一方で、移動通信端末の位置が第２の測位要求端末に受信されることになり、これにより、第２の測位要求端末を操作するユーザに対して、移動通信端末と共に移動するユーザの位置を適切に知らせることができる。
【００１４】
請求項４に記載した測位システムによれば、移動通信端末が第１の動作モードで動作しているときに、第２の測位要求端末が測位要求をネットワークに送信すると、非常用の所定条件が成立したことを条件として、第２の測位要求端末がネットワークからの位置情報の受信が可能になるように構成した。
【００１５】
また、移動通信端末が第２の動作モードで動作しているときに、第１の測位要求端末が測位要求をネットワークに送信すると、非常用の所定条件が成立したことを条件として、第１の測位要求端末がネットワークからの位置情報の受信が可能になるように構成した。
【００１６】
したがって、移動通信端末が第１の動作モードで動作しているときであっても、非常事態が発生したときには、非常用の所定条件が成立することにより、移動通信端末の位置が第２の測位要求端末に受信されることになり、これにより、第２の測位要求端末を操作するユーザに対しても、移動通信端末と共に移動するユーザの位置を適切に知らせることができる。
【００１７】
また、移動通信端末が第２の動作モードで動作しているときであっても、非常事態が発生したときには、非常用の所定条件が成立することにより、移動通信端末の位置が第１の測位要求端末に受信されることになり、これにより、第１の測位要求端末を操作するユーザに対しても、移動通信端末と共に移動するユーザの位置を適切に知らせることができる。
【００１８】
請求項５に記載した測位システムによれば、移動通信端末にてトリガが発生したことに基づいて移動通信端末が第１の動作モードと第２の動作モードとを切替えて動作するように構成したので、移動通信端末を操作するユーザが主導となって、移動通信端末における第１の動作モードと第２の動作モードとを切替えることができる。
【００１９】
請求項６に記載した測位システムによれば、測位要求端末にてトリガが発生したことに基づいて移動通信端末が第１の動作モードと第２の動作モードとを切替えて動作するように構成したので、測位要求端末を操作するユーザが主導となって、移動通信端末における第１の動作モードと第２の動作モードとを切替えることができる。
【００２０】
請求項７に記載した測位システムによれば、第１の測位要求端末や第２の測位要求端末にてトリガが発生したことに基づいて移動通信端末が第１の動作モードと第２の動作モードとを切替えて動作するように構成したので、第１の測位要求端末を操作するユーザや第２の測位要求端末を操作するユーザが主導となって、移動通信端末における第１の動作モードと第２の動作モードとを切替えることができる。
【００２１】
請求項８に記載した測位システムによれば、荷物を集配する集配業務に用いられ、荷物を集配する集配担当者が移動通信端末を携帯し、集配業務を管理する管理担当者が測位要求端末を操作するように構成した。
【００２２】
したがって、例えば就業時間外であれば、集配担当者が移動通信端末を第２の動作モードで動作させることにより、管理担当者に対して、集配担当者のプライバシーを適切に確保することができる。
【００２３】
請求項９に記載した測位システムによれば、荷物を集配する集配業務に用いられ、荷物を集配する集配担当者が移動通信端末を携帯し、集配業務を管理する管理担当者が第１の測位要求端末を操作し、例えば集配担当者と何らかの関係がある一般ユーザ（例えば家族や知人など）が第２の測位要求端末を操作するように構成した。
【００２４】
したがって、例えば就業時間外であれば、集配担当者が移動通信端末を第２の動作モードで動作させることにより、管理担当者に対して、集配担当者のプライバシーを適切に確保することができ、その一方で、一般ユーザに対して、集配担当者の位置を適切に知らせることができる。また、例えば就業時間内であれば、集配担当者が移動通信端末を第１の動作モードで動作させることにより、一般ユーザに対して、集配担当者のプライバシーを適切に確保することができ、その一方で、管理担当者に対して、集配担当者の位置を適切に知らせることができる。
【００２５】
請求項１０に記載した測位システムによれば、移動通信端末は、集配担当者により集配されるべき荷物に添付または印刷されている情報コードを読取る機能を有し、情報コードを読取ることに基づいて集配担当者が集配すべき荷物が存在するか否かを検出するように構成したので、管理担当者や集配担当者が第１の動作モードと第２の動作モードとを切替えるための操作を行う必要がなく、集配担当者が集配すべき荷物に添付または印刷されている情報コードを移動通信端末に読取らせる操作を行うことにより、第１の動作モードと第２の動作モードとを自動的に切替えることができ、業務を効率良く行うことができる。
【００２６】
請求項１１に記載した測位システムによれば、移動通信端末は、集配担当者に所持されている記録媒体に記録されている個人識別情報を読取る機能を有し、個人識別情報を読取ることに基づいて第１の動作モードと第２の動作モードとを切替えて動作するように構成したので、管理担当者や集配担当者が第１の動作モードと第２の動作モードとを切替えるための操作を行う必要がなく、集配担当者が例えばＩＣカードなどの記録媒体に記録されている個人識別情報を移動通信端末に読取らせる操作を行うことにより、第１の動作モードと第２の動作モードとを自動的に切替えることができ、業務を効率良く行うことができる。
【００２７】
【発明の実施の形態】
以下、本発明の測位システムを、荷物を集配する集配業務に用いられる測位システムに適用した一実施例について、図面を参照して説明する。
まず、図１は、測位システムの全体構成を概略的に示している。測位システム１において、集配業務管理端末２（本発明でいう第１の測位要求端末）は、例えば荷物の集配業務を統括する統括センターなどに設置され、周知のコンピュータ端末および周辺機器（入力装置や出力装置や表示装置など）から構成されている。この集配業務管理端末２は、集配業務を管理する管理担当者が測位を要求するための操作を行うと、測位要求をネットワーク３を通じて測位要求受付サーバ４に送信する。
【００２８】
一般端末５（本発明でいう第２の測位要求端末）は、例えば集配担当者と何らかの関係がある一般ユーザ（例えば家族や知人など）の自宅などに設置され、周知のコンピュータ端末および周辺機器から構成されている。この一般端末５は、一般ユーザが測位を要求するための操作を行うと、集配業務管理端末２と同様にして、測位要求をネットワーク３を通じて測位要求受付サーバ４に送信する。
【００２９】
測位要求受付サーバ４は、集配業務管理端末２や一般端末５から測位要求が受信されると、受信された測位要求を解析し、測位対象となる携帯端末６を識別し、測位要求をネットワーク３を通じて当該測位対象となる携帯端末６に送信する。
【００３０】
荷物を集配する集配担当者は、集配車両（集配業務専用の車両）７を運転することにより、荷物を集配する。集配車両７の荷台７ａには、集配担当者が配送する荷物８や収集した荷物８が積載可能となっている。携帯端末６は、集配担当者が容易に携帯可能な構造となっており、集配担当者に携帯されることにより、集配担当者が集配業務を行うときに、集配担当者と共に移動する。
【００３１】
図２は、携帯端末６の電気的な構成を機能ブロック図として示している。携帯端末６は、制御プログラム（本発明でいうコンピュータプログラム）を実行するＣＰＵ（Ｃｅｎｔｒａｌ　Ｐｒｏｃｅｓｓｉｎｇ　Ｕｎｉｔ）９に、ＧＰＳ（Ｇｌｏｂａｌ　Ｐｏｓｉｔｉｏｎｉｎｇ　Ｓｙｓｔｅｍ）衛星１０（図１参照）を検索してＧＰＳ衛星信号を受信するＧＰＳ受信機１１と、電話通信に係る処理を行う電話通信部１２と、例えば液晶ディスプレイから構成される表示部１３と、各種のキーが配列されてなる操作部１４と、ＲＡＭ（Ｒａｎｄｏｍ　Ａｃｃｅｓｓ　Ｍｅｍｏｒｙ）やＲＯＭ（Ｒｅａｄ　Ｏｎｌｙ　Ｍｅｍｏｒｙ）から構成される記憶部１５と、時計機能を有する時計部１６と、荷物８に添付または印刷されている情報コード（図１および図２では、一次元コードであるバーコードを示す）を読取るためのスキャナから構成される情報コード読取部１７と、集配担当者が所持しているＩＣカード１８（本発明でいう記録媒体）に記録されている個人識別情報を読取るためのカードリーダから構成される個人識別情報読取部１９とが接続された構成となっている。この場合、操作部１４は、表示部１３に表示されるタッチパネル型のものであっても良く、また、ＧＰＳ受信機１１のアンテナと電話通信部１２のアンテナとが兼用される構成であっても良い。
【００３２】
そして、携帯端末６は、ビジネスモード（本発明でいう第１の動作モード）およびプライベートモード（本発明でいう第２の動作モード）のいずれかの動作モードで動作するようになっている。
【００３３】
次に、上記した構成の作用について、図３ないし図１６を参照して説明する。尚、ここでは、説明の都合上、
（１）携帯端末６がビジネスモードで動作しているときに、集配業務管理端末２や一般端末５から測位要求が受信されたとき
（２）携帯端末６がプライベートモードで動作しているときに、集配業務管理端末２や一般端末５から測位要求が受信されたとき
（３）携帯端末６にて当該携帯端末６の動作モードを切替えるためのトリガが発生したとき
（４）集配業務管理端末２にて携帯端末６の動作モードを切替えるためのトリガが発生したとき
（５）一般端末５にて携帯端末６の動作モードを切替えるためのトリガが発生したとき
について順次説明する。
【００３４】
（１）携帯端末６がビジネスモードで動作しているときに、集配業務管理端末２や一般端末５から測位要求が受信されたとき
まず、携帯端末６がビジネスモードで動作しているときに、集配業務管理端末２や一般端末５から測位要求が受信されたときについて、図３ないし図７を参照して説明する。
【００３５】
集配業務管理端末２は、管理担当者が測位を要求するための操作を行ったことを受けて、測位を要求するための操作を受付けると（図３中、ステップＡ１）、測位要求をネットワーク３を通じて測位要求受付サーバ４に送信する。測位要求受付サーバ４は、集配業務管理端末２から測位要求が受信されると、測位要求をネットワーク３を通じて携帯端末６に送信する。
【００３６】
さて、携帯端末６において、ＣＰＵ９は、携帯端末６がビジネスモードへ移行した後に（図３中、ステップＤ１）、集配業務管理端末２から測位要求が電話通信部１２により受信されると、測位を行う（図３中、ステップＤ２）。具体的には、ＣＰＵ９は、ＧＰＳ受信機１１にＧＰＳ衛星１０を検索させ、ＧＰＳ衛星１０からＧＰＳ受信機１１により受信されたＧＰＳ衛星信号から各種のパラメータを抽出し、抽出された各種のパラメータを演算することにより、携帯端末６の現在位置を位置情報として取得する。そして、ＣＰＵ９は、このようにして取得された位置情報を電話通信部１２からネットワーク３を通じて測位要求受付サーバ４に送信させる。
【００３７】
測位要求受付サーバ４は、携帯端末６から位置情報が受信されると、位置情報をネットワーク３を通じて集配業務管理端末２に送信する。そして、集配業務管理端末２は、携帯端末６から位置情報が受信されると、受信された位置情報を表示する（図３中、ステップＡ２）。これにより、管理担当者は、集配業務管理端末２に表示される位置情報を見ることにより、携帯端末６の位置を知ることができ、つまり、携帯端末６を携帯している集配担当者の位置を知ることができる。
【００３８】
一方、一般端末５は、一般ユーザが測位を要求するための操作を行ったことを受けて、測位を要求するための操作を受付けると（図３中、ステップＢ１）、測位要求をネットワーク３を通じて測位要求受付サーバ４に送信する。測位要求受付サーバ４は、一般端末５から測位要求が受信されると、測位要求をネットワーク３を通じて携帯端末６に送信する。
【００３９】
さて、携帯端末６において、ＣＰＵ９は、一般端末５から測位要求が電話通信部１２により受信されると、この場合は、測位を拒否し（図３中、ステップＤ３）、測位を拒否したことを通知すべく測位拒否を電話通信部１２からネットワーク３を通じて測位要求受付サーバ４に送信させる。
【００４０】
測位要求受付サーバ４は、携帯端末６から測位拒否が受信されると、測位拒否をネットワーク３を通じて一般端末５に送信する。そして、一般端末５は、携帯端末６から測位拒否が受信されると、測位が拒否されたことを表す例えば「測位が拒否されました。」という通知メッセージを表示する（図３中、ステップＢ２）。
【００４１】
以上に説明したように、測位システム１において、携帯端末６がビジネスモードで動作しているときに、一般端末５が測位要求を携帯端末６に送信すると、携帯端末６が測位を拒否するようになり、その一方で、集配業務管理端末２が測位要求を携帯端末６に送信すると、携帯端末６が測位を行って位置情報を取得して集配業務管理端末２に送信するようになる。これにより、携帯端末６を携帯する集配担当者は、携帯端末６をビジネスモードで動作させることにより、一般ユーザに対して、自分の位置を知らせなくすることができ、自分のプライバシーを適切に確保することができ、その一方で、管理担当者に対して、自分の位置を適切に知らせることができる。また、このように携帯端末６をビジネスモードで動作させているときに自分のプライバシーを適切に確保することにより、業務に関するセキュリティを適切に確保することができる。
【００４２】
ところで、携帯端末６において、一般端末５から測位要求が受信されたときに、測位を拒否する構成に限らず、測位を行うものの、測位を行って取得された位置情報に誤差を付加し、誤差が含まれた位置情報を一般端末５に送信するように構成しても良い。
【００４３】
すなわち、図４に示すように、携帯端末６において、ＣＰＵ９は、一般端末５から測位要求が電話通信部１２により受信されると、測位を行うものの（図４中、ステップＤ４）、測位を行って取得された位置情報に誤差を付加する（図４中、ステップＤ５）。ここで、誤差は、例えば取得された現在位置に対して所定方向に所定距離だけ移動させる（ずらす）ようなパラメータであり、所定方向や所定距離は、集配担当者が任意に決定しても良いし、ＣＰＵ９がランダムに決定しても良い。また、誤差が含まれた位置情報は、最寄の駅、公共の施設、基地局の設置位置、あらかじめ設定された特定の場所（例えば勤務先や自宅など）を表すものであっても良い。そして、ＣＰＵ９は、誤差が含まれた位置情報を電話通信部１２からネットワーク３を通じて測位要求受付サーバ４に送信させる。
【００４４】
測位要求受付サーバ４は、携帯端末６から誤差が含まれた位置情報が受信されると、誤差が含まれた位置情報を一般端末５に送信する。そして、一般端末５は、携帯端末６から誤差が含まれた位置情報が受信されると、受信された誤差が含まれた位置情報を表示し（図４中、ステップＢ３）、この場合は、位置情報に誤差が含まれていることを表す例えば「位置情報には誤差が含まれています。」という通知メッセージを表示する（図４中、ステップＢ４）。尚、この場合、一般端末５は、位置情報に誤差が含まれていることを表す通知メッセージを必ずしも表示する必要はない。
【００４５】
これにより、この場合も、携帯端末６を携帯する集配担当者は、携帯端末６をビジネスモードで動作させることにより、一般ユーザに対して、自分の位置を知らせなくすることができ、自分のプライバシーを適切に確保することができる。
【００４６】
また、携帯端末６において、ビジネスモードへ移行したことを表す動作モード移行情報を測位要求受付サーバ４に送信し、測位要求受付サーバ４において、携帯端末６から受信された動作モード移行情報に基づいて携帯端末６がビジネスモードで動作していることを認識することにより、一般端末５から測位要求が受信されたときに、測位要求を携帯端末６に送信することなく、測位拒否を一般端末５に送信するように構成しても良い。
【００４７】
すなわち、図５に示すように、携帯端末６において、ＣＰＵ９は、携帯端末６がビジネスモードへ移行すると（図５中、ステップＤ１）、携帯端末６がビジネスモードへ移行したことを表す動作モード移行情報を電話通信部１２からネットワーク３を通じて測位要求受付サーバ４に送信させる。
【００４８】
測位要求受付サーバ４は、携帯端末６から動作モード移行情報が受信されると、携帯情報６と動作モードとの対応を表す動作モード対応表を、携帯端末６がビジネスモードへ移行したことに応じて更新する（図５中、ステップＣ１）。そして、測位要求受付サーバ４は、このようにして動作モード対応表を更新した状態で、一般端末５から測位要求が受信されると、この場合は、動作モード対応表を参照し（図５中、ステップＣ３）、携帯端末６がビジネスモードへ移行したことを認識することにより、測位要求を携帯端末６に送信することなく、測位拒否を一般端末５に送信する。
【００４９】
これにより、この場合も、携帯端末６を携帯する集配担当者は、携帯端末６をビジネスモードで動作させることにより、一般ユーザに対して、自分の位置を知らせなくすることができ、自分のプライバシーを適切に確保することができる。
【００５０】
また、測位要求受付サーバ４において、携帯端末６から受信された位置情報に誤差を含め、誤差が含まれた位置情報を一般端末５に送信するように構成しても良い。
【００５１】
すなわち、図６に示すように、測位要求受付サーバ４は、動作モード対応表を更新した状態で、一般端末５から測位要求が受信されると、測位要求を携帯端末６に送信する。そして、測位要求受付サーバ４は、この場合は、動作モード対応表を参照し（図６、ステップＣ３）、携帯端末６がビジネスモードへ移行したことを認識することにより、携帯端末６から位置情報が受信されると、受信された位置情報に誤差を付加する（図６中、ステップＣ４）。ここでも、誤差は、例えば受信された現在位置に対して所定方向に所定距離だけ移動させる（ずらす）ようなパラメータであり、所定方向や所定距離は、集配担当者が任意に決定しても良いし、ＣＰＵ９がランダムに決定しても良い。そして、測位要求受付サーバ４は、誤差が含まれた位置情報を一般端末５に送信する。
【００５２】
これにより、この場合も、携帯端末６を携帯する集配担当者は、携帯端末６をビジネスモードで動作させることにより、一般ユーザに対して、自分の位置を知らせなくすることができ、自分のプライバシーを適切に確保することができる。
【００５３】
さらに、測位システム１において、携帯端末６がビジネスモードで動作しているときであっても、非常事態が発生した場合に限って、一般端末５が測位要求を携帯端末６に送信したときに、携帯端末６が位置情報を一般端末５に送信するように構成しても良い。
【００５４】
すなわち、図７に示すように、一般端末５は、一般ユーザが測位を要求するための操作を行ったのに続いて、一般ユーザがパスワードを入力するための操作を行ったことを受けて、測位を要求するための操作を受付けたのに続いて（図７中、ステップＢ１）、パスワードを入力するための操作を受付けると（図７中、ステップＢ５）、測位要求およびパスワードをネットワーク３を通じて測位要求受付サーバ４に送信する。測位要求受付サーバ４は、一般端末５から測位要求およびパスワードが受信されると、測位要求およびパスワードをネットワーク３を通じて携帯端末６に送信する。
【００５５】
さて、携帯端末６において、ＣＰＵ９は、一般端末５から測位要求およびパスワードが電話通信部１２により受信されると、この場合は、パスワードを認証し（図７中、ステップＤ６）、パスワードを認証した認証結果が正である（本発明でいう非常用の所定条件が成立した）ことを条件として、測位を行う（図７中、ステップＤ７）。そして、ＣＰＵ９は、このようにして測位を行って取得された位置情報を電話通信部１２からネットワーク３を通じて測位要求受付サーバ４に送信させる。
【００５６】
測位要求受付サーバ４は、携帯端末６から位置情報が受信されると、位置情報をネットワーク３を通じて一般端末５に送信する。そして、一般端末５は、携帯端末６から位置情報が受信されると、受信された位置情報を表示する（図７中、ステップＢ６）。
【００５７】
これにより、一般ユーザは、携帯端末６がビジネスモードで動作しているときであっても、一般端末５に表示される位置情報を見ることにより、携帯端末６の位置を知ることができ、つまり、携帯端末６を携帯している集配担当者の位置を知ることができる。すなわち、携帯端末６を携帯する集配担当者は、携帯端末６をビジネスモードで動作させていても、一般ユーザに対して、一般ユーザにより入力されたパスワードの認証が正であることを条件として、自分の位置を適切に知らせることができる。
【００５８】
（２）携帯端末６がプライベートモードで動作しているときに、集配業務管理端末２や一般端末５から測位要求が受信されたとき
次に、携帯端末６がプライベートモードで動作しているときに、集配業務管理端末２や一般端末５から測位要求が受信されたときについて、図８ないし図１２を参照して説明する。
【００５９】
この場合は、詳しくは説明しないが、上記した「（１）携帯端末６がビジネスモードで動作しているときに、集配業務管理端末２や一般端末５から測位要求が受信されたとき」に対して、集配業務管理端末２と一般端末５との間で立場が逆転している。
【００６０】
すなわち、図８〜図１２に示すシーケンスは、それぞれ先に説明した図３〜図７に示すシーケンスと比較すると、集配業務管理端末２と一般端末５との間で立場が逆転している（図８〜図１２中、ステップＡ１１〜Ａ１６、ステップＢ１１〜Ｂ１２、ステップＣ１１〜Ｃ１４、ステップＤ１１〜Ｄ１７）。
【００６１】
これにより、測位システム１において、携帯端末６を携帯する集配担当者は、携帯端末６をプライベートモードで動作させることにより、管理担当者に対して、自分の位置を知らせなくすることができ、自分のプライバシーを適切に確保することができ、その一方で、一般ユーザに対して、自分の位置を適切に知らせることができる。また、携帯端末６を携帯する集配担当者は、携帯端末６をプライベートモードで動作させていても、管理担当者に対して、管理担当者により入力されたパスワードの認証が正であることを条件として、自分の位置を適切に知らせることができる。
【００６２】
（３）携帯端末６にて当該携帯端末６の動作モードを切替えるためのトリガが発生したとき
次に、携帯端末６にて当該携帯端末６の動作モードを切替えるためのトリガが発生したときについて、図１３および図１４を参照して説明する。
【００６３】
まず、携帯端末６がビジネスモードで動作していることを前提として、当該携帯端末６の動作モードを切替えるためのトリガが発生した場合について、図１３を参照して説明する。
【００６４】
携帯端末６において、ＣＰＵ９は、携帯端末６の動作モードを切替えるためのトリガが発生したことを検出すると（図１３中、ステップＤ２１）、動作モード切替要求を電話通信部１２からネットワーク３を通じて測位要求受付サーバ４に送信させる。ここで、携帯端末６の動作モードを切替えるためのトリガとは、例えば集配担当者が携帯端末６の動作モードを切替えるための操作を行ったこと、集配されるべき最後の荷物８に添付または印刷されている情報コードが携帯端末６により正常に読取られたこと、ＩＣカード１８に記録されている個人識別情報が携帯端末６により正常に読取られたこと、あらかじめ携帯端末６にて設定された所定の切替時刻が計時されたことなどである。
【００６５】
測位要求受付サーバ４は、携帯端末６から動作モード切替要求が受信されると、ここでは、携帯端末６がビジネスモードで動作しているので、動作モード切替要求を集配業務管理端末２に送信する。そして、集配業務管理端末２は、携帯端末６から動作モード切替要求が受信されると、携帯端末６における動作モードのビジネスモードからプライベートモードへの切替を許可するか禁止するかを判定する（図１３中、ステップＡ２１）。
【００６６】
ここで、集配業務管理端末２は、例えば集配担当者により集配されるべき荷物８が全て集配されたこと、集配担当者が就業すべき就業時間が経過したこと、あらかじめ集配業務管理端末２にて設定された所定の切替時刻が計時されたことなどを検出すると、携帯端末６における動作モードのビジネスモードからプライベートモードへの切替を許可すると判定し（図１３中、ステップＡ２２にて「許可」を選択）、動作モード切替許可を測位要求受付サーバ４に送信する。
【００６７】
尚、この場合、集配担当者により集配されるべき荷物８が全て集配されたか否かの判定は、集配担当者により集配されるべき荷物８に添付または印刷されている情報コードの一覧をあらかじめ記憶しておき、集配担当者が荷物８を集配する毎に当該集配された荷物８に添付または印刷されている情報コードを携帯端末６に読取らせる操作を行い、読取られた情報コードと、あらかじめ記憶されていた情報コードとを照合することにより可能となる。また、集配担当者が就業すべき就業時間が経過したか否かの判定は、個人の勤務予定を記憶しておき、集配担当者がＩＣカード１８に記録されている個人識別情報を携帯端末６に読取らせる操作を行い、読取られた個人識別情報と、あらかじめ記憶されていた個人の勤務予定とを照合することにより可能となる。
【００６８】
測位要求受付サーバ４は、集配業務管理端末２から動作モード切替許可が受信されると、動作モード切替許可を携帯端末６に送信する。そして、携帯端末６において、ＣＰＵ９は、集配業務管理端末２から動作モード切替許可が電話通信部１２により受信されると、動作モードをビジネスモードからプライベートモードへ切替える（図１３中、ステップＤ２２）。
【００６９】
これに対して、集配業務管理端末２は、例えば集配担当者により集配されるべき荷物８が残っていること、集配担当者が就業すべき就業時間が経過していないこと、あらかじめ集配業務管理端末２にて設定された所定の切替時刻が計時されていないことなどを検出すると、携帯端末６における動作モードのビジネスモードからプライベートモードへの切替を禁止すると判定し（図１３中、ステップＡ２２にて「禁止」を選択）、動作モード切替禁止を測位要求受付サーバ４に送信する。
【００７０】
測位要求受付サーバ４は、集配業務管理端末２から動作モード切替禁止が受信されると、動作モード切替禁止を携帯端末６に送信する。そして、携帯端末６において、ＣＰＵ９は、集配業務管理端末２から動作モード切替禁止が電話通信部１２により受信されると、動作モードをビジネスモードからプライベートモードへ切替えることはなく、ビジネスモードでの動作を継続させる（図１３中、ステップＤ２３）。
【００７１】
尚、この場合、携帯端末６が動作モード切替要求を集配業務管理端末２に送信することにより、集配業務管理端末２が携帯端末６における動作モードのビジネスモードからプライベートモードへの切替を許可するか禁止するかを判定する場合を説明したものであるが、携帯端末６が動作モード切替要求を一般端末５に送信することにより、一般端末５が携帯端末６における動作モードのビジネスモードからプライベートモードへの切替を許可するか禁止するかを判定しても良い。
【００７２】
次に、携帯端末６がプライベートモードで動作していることを前提として、当該携帯端末６の動作モードを切替えるためのトリガが発生した場合について、図１４を参照して説明する。
【００７３】
この場合は、測位要求受付サーバ４は、携帯端末６から動作モード切替要求が受信されると、動作モード切替要求を集配業務管理端末２に送信するのではなく、動作モード切替要求を一般端末５に送信する。そして、一般端末５は、携帯端末６から動作モード切替要求が受信されると、上記した集配業務管理端末２と同様にして、携帯端末６における動作モードのプライベートモードからビジネスモードへの切替を許可するか禁止するかを判定する（図１４中、ステップＢ２１，Ｂ２２）。
【００７４】
尚、この場合、携帯端末６が動作モード切替要求を一般端末５に送信することにより、一般端末５が携帯端末６における動作モードのプライベートモードからビジネスモードへの切替を許可するか禁止するかを判定する場合を説明したものであるが、携帯端末６が動作モード切替要求を集配業務管理端末２に送信することにより、集配業務管理端末２が携帯端末６における動作モードのプライベートモードからビジネスモードへの切替を許可するか禁止するかを判定しても良い。
【００７５】
（４）集配業務管理端末２にて携帯端末６の動作モードを切替えるためのトリガが発生したとき
次に、集配業務管理端末２にて携帯端末６の動作モードを切替えるためのトリガが発生したときについて、図１５を参照して説明する。
【００７６】
集配業務管理端末２は、携帯端末６の動作モードを切替えるためのトリガが発生したことを検出すると（図１５中、ステップＡ３１）、動作モード切替要求をネットワーク３を通じて測位要求受付サーバ４に送信する。ここで、携帯端末６の動作モードを切替えるためのトリガとは、例えば管理担当者が携帯端末６の動作モードを切替えるための操作を行ったこと、あらかじめ集配業務管理端末２にて設定された所定の切替時刻が計時されたことなどである。
【００７７】
測位要求受付サーバ４は、集配業務管理端末２から動作モード切替要求が受信されると、動作モード切替要求を携帯端末６に送信する。そして、携帯端末６において、ＣＰＵ９は、ビジネスモードで動作していることを前提とすると、集配業務管理端末２から動作モード切替要求が受信されると、携帯端末６における動作モードのビジネスモードからプライベートモードへの切替を許可するか禁止するかを判定する（図１５中、ステップＤ３１）。
【００７８】
ここで、ＣＰＵ９は、携帯端末６における動作モードのビジネスモードからプライベートモードへの切替を許可すると判定すると（図１５中、ステップＤ３２にて「許可」を選択）、動作モードをビジネスモードからプライベートモードへ切替える（図１５中、ステップＤ３３）。そして、ＣＰＵ９は、動作モードをビジネスモードからプライベートモードへ切替えたことを表す動作モード切替情報を電話通信部１２から測位要求受付サーバ４に送信させる。測位要求受付サーバ４は、携帯端末６から動作モード切替情報が受信されると、動作モード切替情報を集配業務管理端末２に送信する。
【００７９】
そして、集配業務管理端末２は、携帯端末６から動作モード切替情報が受信されると、動作モードをビジネスモードからプライベートモードへ切替えたことを表す例えば「動作モードをビジネスモードからプライベートモードへ切替えました。」という通知メッセージを表示する（図１５中、ステップＡ３２）。
【００８０】
これに対して、ＣＰＵ９は、携帯端末６における動作モードのビジネスモードからプライベートモードへの切替を禁止すると判定すると（図１５中、ステップＤ３２にて「禁止」を選択）、動作モードをビジネスモードからプライベートモードへ切替えることがなく、ビジネスモードでの動作を継続させる（図１３中、ステップＤ３４）。そして、ＣＰＵ９は、ビジネスモードでの動作モードを継続したことを表す動作モード継続情報を電話通信部１２から測位要求受付サーバ４に送信させる。測位要求受付サーバ４は、集携帯端末６から動作モード継続情報が受信されると、動作モード継続情報を集配業務管理端末２に送信する。
【００８１】
そして、集配業務管理端末２は、携帯端末６から動作モード継続情報が受信されると、動作モードをビジネスモードで継続していることを表す例えば「動作モードをビジネスモードからプライベートモードへ切替えることができません。動作モードをビジネスモードで継続しています。」という通知メッセージを表示する（図１５中、ステップＡ３３）。
【００８２】
尚、以上は、携帯端末６がビジネスモードで動作していることを前提とし、集配業務管端末２にて携帯端末６の動作モードを切替えるためのトリガが発生した場合を説明したものであるが、携帯端末６がプライベートモードで動作しているときに、集配業務管端末２にて携帯端末６の動作モードを切替えるためのトリガが発生した場合も、これと同様である。
【００８３】
（５）一般端末５にて携帯端末６の動作モードを切替えるためのトリガが発生したとき
次に、一般端末５にて携帯端末６の動作モードを切替えるためのトリガが発生したときについて、図１６を参照して説明する。
【００８４】
一般端末５は、携帯端末６の動作モードを切替えるためのトリガが発生したことを検出すると（図１６中、ステップＢ３１）、動作モード切替要求をネットワーク３を通じて測位要求受付サーバ４に送信する。ここで、携帯端末６の動作モードを切替えるためのトリガとは、例えば一般ユーザが携帯端末６の動作モードを切替えるための操作を行ったこと、あらかじめ一般端末５にて設定された所定の切替時刻が計時されたことなどである。
【００８５】
測位要求受付サーバ４は、一般端末５から動作モード切替要求が受信されると、動作モード切替要求を携帯端末６に送信する。そして、携帯端末６において、ＣＰＵ９は、プライベートモードで動作していることを前提とすると、一般端末５から動作モード切替要求が受信されると、携帯端末６における動作モードのプライベートモードからビジネスモードへの切替を許可するか禁止するかを判定する（図１５中、ステップＤ３１）。
【００８６】
ここで、ＣＰＵ９は、携帯端末６における動作モードのプライベートモードからビジネスモードへの切替を許可すると判定すると（図１５中、ステップＤ３２にて「許可」を選択）、動作モードをプライベートモードからビジネスモードへ切替える（図１５中、ステップＤ３３）。そして、ＣＰＵ９は、動作モードをプライベートモードからビジネスモードへ切替えたことを表す動作モード切替情報を電話通信部１２から測位要求受付サーバ４に送信させる。測位要求受付サーバ４は、集携帯端末６から動作モード切替情報が受信されると、動作モード切替情報を一般端末５に送信する。
【００８７】
そして、一般端末５は、携帯端末６から動作モード切替情報が受信されると、動作モードをプライベートモードからビジネスモードへ切替えたことを表す「動作モードをプライベートモードからビジネスモードへ切替えました」という通知メッセージを表示する（図１５中、ステップＢ３２）。
【００８８】
これに対して、ＣＰＵ９は、携帯端末６における動作モードのプライベートモードからビジネスモードへの切替を禁止すると判定すると（図１５中、ステップＤ３２にて「禁止」を選択）、動作モードをプライベートモードからビジネスモードへ切替えることがなく、プライベートモードでの動作を継続させる（図１３中、ステップＤ３３）。そして、ＣＰＵ９は、プライベートモードでの動作モードを継続したことを表す動作モード継続情報を電話通信部１２から測位要求受付サーバ４に送信させる。測位要求受付サーバ４は、携帯端末６から動作モード継続情報が受信されると、動作モード継続情報を一般端末５に送信する。
【００８９】
そして、一般端末５は、携帯端末６から動作モード継続情報が受信されると、動作モードをプライベートモードで継続していることを表す「動作モードをプライベートモードからビジネスモードへ切替えることができません。動作モードをプライベートモードで継続しています」という通知メッセージを表示する（図１５中、ステップＡ３３）。
【００９０】
尚、以上は、携帯端末６がプライベートモードで動作していることを前提とし、一般端末５にて携帯端末６の動作モードを切替えるためのトリガが発生した場合を説明したものであるが、携帯端末６がビジネスモードで動作しているときに、一般端末５にて携帯端末６の動作モードを切替えるためのトリガが発生した場合も、これと同様である。
【００９１】
以上に説明したように本実施例によれば、測位システム１において、携帯端末６がビジネスモードで動作しているときに、一般端末５が測位要求を携帯端末６に送信すると、携帯端末６が測位を拒否するように構成したので、一般ユーザに対して、集配担当者の位置が知られることがなくなり、集配担当者のプライバシーを適切に確保することができる。その一方で、携帯端末６がビジネスモードで動作しているときに、集配業務管理端末２が測位要求を携帯端末６に送信すると、携帯端末６が測位を行って位置情報を取得して集配業務管理端末２に送信するように構成したので、集配担当者の位置を適切に知らせることができる。
【００９２】
また、測位システム１において、携帯端末６がビジネスモードで動作しているときであっても、一般端末５にて入力されたパスワードの認証結果が正であると、携帯端末６が測位を行って位置情報を取得して一般端末５に送信するように構成したので、集配担当者の位置を適切に知らせることができる。
【００９３】
また、携帯端末６にてトリガが発生したことに基づいて携帯端末６がビジネスモードとプライベートモードとを切替えて動作するように構成したので、集配担当者が主導となって、携帯端末６におけるビジネスモードとプライベートモードとを切替えることができる。また、集配業務管理端末２や一般端末５にてトリガが発生したことに基づいても携帯端末６がビジネスモードとプライベートモードとを切替えて動作するように構成したので、管理担当者や一般ユーザが主導となっても、携帯端末６におけるビジネスモードとプライベートモードとを切替えることができる。
【００９４】
本発明は、上記した実施例にのみ限定されるものではなく、以下のように変形または拡張することができる。
荷物を集配する集配業務に用いられる測位システムに限らず、例えばタクシー業務などの他の業務に用いられる測位システムであっても良い。
荷物に添付または印刷される情報コードは、一次元コードに限らず、例えばＱＲ（Ｑｕｉｃｋ　Ｒｅｓｐｏｎｓｅ）コードなどの二次元コードであっても良い。
【００９５】
移動通信端末は、集配担当者が携帯可能に構成されてなる携帯端末に限らず、集配車両に組込まれた（モジュール化された）車載端末であっても良く、また、携帯電話機であっても良い。
携帯端末は、ＧＰＳ衛星からのＧＰＳ衛星信号を利用して位置情報を取得する構成に限らず、基地局からのパイロット信号を利用して位置情報を取得する構成であっても良く、また、それらＧＰＳ衛星信号およびパイロット信号の双方を利用して位置情報を取得する構成であっても良い。さらに、携帯端末が単独で位置情報を取得する構成に限らず、携帯端末が測位サーバと連携することにより位置情報を取得する構成であっても良い。
【００９６】
携帯端末がビジネスモードで動作しているときに、携帯端末が位置情報を一般端末に送信するものの、一般端末が携帯端末から受信された位置情報を表示しなかったり、一般端末が携帯端末から受信された位置情報に誤差を含めて表示したりする構成であっても良い。また、携帯端末がプライベートモードで動作しているときに、携帯端末が位置情報を集配業務管理端末に送信するものの、集配業務管理端末が携帯端末から受信された位置情報を表示しなかったり、集配業務管理端末が携帯端末から受信された位置情報に誤差を含めて表示したりする構成であっても良い。
【００９７】
集配担当者が荷物を集配すべき区域を集配区域として設定することにより、集配車両が集配区域から集配区域以外の区域へ進入したときに携帯端末におけるビジネスモードからプライベートモードへの切替を許可すると共に、集配車両が集配区域以外の区域から集配区域へ進入したときに携帯端末におけるプライベートモードからビジネスモードへの切替を許可する構成であっても良い。
【００９８】
携帯端末が実行する制御プログラムは、最初（例えば製品化の段階）から記憶されているものに限らず、例えば特定のサーバからネットワークを通じてダウンロードされたり或いはＣＤ−ＲＯＭ（Ｃｏｍｐａｃｔ　Ｄｉｓｋ−Ｒｅａｄ　Ｏｎｌｙ　Ｍｅｍｏｒｙ）やカードなどの記録媒体から転送されてインストールされるものであっても良い。
【図面の簡単な説明】
【図１】本発明の一実施例の全体構成を概略的に示す図
【図２】携帯端末の電気的な構成を示す機能ブロック図
【図３】携帯端末がビジネスモードで動作しているときの処理の流れを概略的に表すシーケンス図
【図４】図３相当図
【図５】図３相当図
【図６】図３相当図
【図７】図３相当図
【図８】携帯端末がプライベートモードで動作しているときの処理の流れを概略的に表すシーケンス図
【図９】図８相当図
【図１０】図８相当図
【図１１】図８相当図
【図１２】図８相当図
【図１３】携帯端末にて当該携帯端末の動作モードを切替えるためのトリガが発生したときの処理の流れを概略的に表すシーケンス図
【図１４】図１３相当図
【図１５】集配業務管理端末にて携帯端末の動作モードを切替えるためのトリガが発生したときの処理の流れを概略的に表すシーケンス図
【図１６】一般端末にて携帯端末の動作モードを切替えるためのトリガが発生したときの処理の流れを概略的に表すシーケンス図
【符号の説明】
図面中、１は測位システム、２は集配業務管理端末（測位要求端末）、３はネットワーク、５は一般端末（測位要求端末）、６は携帯端末（移動通信端末）、８は荷物、１８はＩＣカード（記録媒体）である。
【図１】
2004012284.tif 000003
【図２】
2004012284.tif 000004
【図３】
2004012284.tif 000005
【図４】
2004012284.tif 000006
【図５】
2004012284.tif 000007
【図６】
2004012284.tif 000008
【図７】
2004012284.tif 000009
【図８】
2004012284.tif 000010
【図９】
2004012284.tif 000011
【図１０】
2004012284.tif 000012
【図１１】
2004012284.tif 000013
【図１２】
2004012284.tif 000014
【図１３】
2004012284.tif 000015
【図１４】
2004012284.tif 000016
【図１５】
2004012284.tif 000017
【図１６】
2004012284.tif 000018